Podtech/llm-jp-corpus-v4-ja_patent huggingface dataset:
(57)【要約】【課題】  従来のポータブルトイレの排泄物受け容器は単体で直接トイレに内容物破棄するものであり、本シートに該当する付属はない。よって、その都度の清掃を要し介護者の負担大。且つ、通常は汚れ防止目的の為、少量ではあるが水を張る事によって清掃簡便化する。この為、排泄物の正確な量・状態把握に支障あり。そこで、この発明は、清潔で簡便な管理・観察の正確さを実現することを課題とする。【解決手段】以上の課題を解決するために、請求項１の発明はポータブルトイレ内の排泄物受け容器の内側に入れて使用することにより、はね返り及び、容器の汚れを防止し、清掃の簡便化排泄物の正確な量・状態把握を可能とする。【選択図】図２
2007215979.tif 000002
【特許請求の範囲】
【請求項１】
ポータブルトイレ内の排泄物受け容器に内設することを特徴とするトイレシート。
【請求項２】
ペットシート・紙オムツシート等の素材による袋状の形体を特徴とするトイレシート。
【請求項３】
タイプ１、基本形体（袋状シート）両脇の熱処理接着による継ぎ目、上部に開きを設け排泄物受け容器の取っ手部分を避けて折りかえすことを特徴とするトイレシート。
【請求項４】
タイプ１のシート上部の前後に粘着両面テープを接着することにより排泄物受け容器に折り返り部分を固定することを特徴とするトイレシート。
【請求項５】
タイプ２、基本形体（袋状シート）上部にゴム部分を設け折り返すことにより排泄物受け容器に固定することを特徴とするトイレシート。
【請求項６】
タイプ３、タイプ２のシートの上部を延長し吸水素材を薄くする、この部分にゴム部分を設け、折り返すことにより便座に固定することを特徴とするトイレシート。
【請求項７】
タイプ３のシートの排泄物受け容器内側上部に当たる位置に粘着両面テープを接着することにより排泄物受け容器に固定する。これより便座の下、排泄物受け容器部分のスペースの確保を特徴とするトイレシート。
【請求項８】
タイプ４、基本形体（袋状シート）をオマル等の排泄物受け容器の中に入れて使用、当該容器の縦寸法に対応し浅く作成し上部を折りかえし固定する。この場合形状が浅くコンパクトな為、両面テープによる固定は必ずしも必要ではない。
【発明の詳細な説明】
【技術分野】
【０００１】  この発明は、ポータブルトイレに代表される移動用トイレ・患者用トイレ・子供用トイレ（オマル）に関するものであり、排泄物受け容器の内側に設置し使用することにより清掃の簡略化、排泄物の観察・重量計測、臭気軽減、清潔な管理を実現したものである。
【背景技術】
【０００２】  従来のポータブルトイレの排泄物受け容器は単体で直接トイレに内容物破棄するものであり、本シートに該当する付属はない。
【発明の開示】
【発明が解決しようとする課題】
【０００３】  よって、その都度の清掃を要し介護者の負担大。且つ、通常は汚れ防止目的の為、少量ではあるが水を張る事によって清掃簡便化する。この為、排泄物の正確な量・状態把握に支障あり。
そこで、この発明は、清潔で簡便な管理・観察の正確さを実現することを課題とする。
【課題を解決するための手段】
【０００４】  以上の課題を解決するために、請求項１の発明はポータブルトイレ内の排泄物受け容器の内側に入れて使用することにより、はね返り及び、容器の汚れを防止し、清掃の簡便化排泄物の正確な量・状態把握を可能とする。【０００５】  また、請求項２はトイレシートを袋状にすることにより排泄物受け容器の内側をすべてカバーするもの。【０００６】  請求項３・４は取っ手つき排泄物受け容器に対応したトイレシートの壁面が吸水の重みで下がるのを防ぎ且つ、排泄物受け容器への固定を容易にするもの。【０００７】  請求項５は排泄物受け容器に取っ手のないものに対応し、ずり落ち防止と固定を容易にするもの。【０００８】  請求項６は患者・高齢者等使用により便座まで汚れるケースに対応した発明。排泄物受け容器のみならずその上の便座まで覆うことにより、すべての汚れを防止するもの。【０００９】  請求項７は請求項６の便座の内径まで袋状部分の容積が縮められため、この部分の容積を確保するためのもの。【００１０】  請求項８はポータブルトイレの中でもオマル等、排泄物受け容器のサイズが浅くコンパクトなタイプに対応するもの。
【発明の効果】
【００１１】  本発明は、排泄物受け容器の清掃を簡略化し、排泄物の観察・計量にも支障なく、介護者の負担軽減を図りつつ清潔な管理・要介護者（使用者）の健康管理を可能にするものであり、また取扱いも簡単なものである。
【発明を実施するための最良の形態】
【００１２】  この発明の実施形態を、図１に示す。トイレシート本体の素材は汎用されているペットシーツ素材（尿の吸収がよくデオドラント効果のあるもれないタイプ、よってベビーオムツに代表される通気性は不要）を使用し、袋状にしたものを排泄物受け容器にセットし使用する。この実施形態によれば、排泄物処理及び清掃が簡略される。取り付けは取っ手のあるタイプに対応する為、上部にあきのあるもの。【００１３】  図２は本トイレシートを取っ手付き容器に取り付けた状態。【００１４】  図３は取っ手のないタイプに対応するもので上部ゴム部分の設けてあるもの。【００１５】  図４は便座もカバーするため上部を延長しトイレシートに排泄物受け容器の内側に接着するための両面テープをとりつけたもの。【００１６】  図５は浅型排泄物受け容器（オマル等）にセットした状態。
「実施形態の効果」【００１７】  この実施形態によれば、排泄物受け容器にトイレシーツをセットして使用することにより、使用後の清掃簡略が可能である。
「他の実施形態」【００１８】  図１の実施形態では、上部に明きをとったが排泄物受け容器に取っ手のないものであれば図３・５に示す上部にゴム付きのもので対応する。又、便座もカバーするタイプは図４に示す。
【産業上の利用可能性】
【００１９】  本発明に係るトイレシートは工業的に量産することが可能であるため産業上の利用可能性を有する。
【図面の簡単な説明】
【００２０】
【図１】この発明の一実施形態を示す斜視図である。
【図２】この発明の一実施形態を示す取っ手付き排泄物受け容器に取り付けた斜視図である。
【図３】この発明の一実施形態を示す取っ手なし対応タイプの斜視図である。
【図４】この発明の一実施形態を示す便座をカバーするタイイプの斜視図である。
【図５】この発明の一実施形態を示す浅型コンパクトタイプ（オマル等）に取り付けた斜視図である。
【図６】この発明の補足図断面斜視図である。
【符号の説明】
【００２１】１  トイレシート本体            ２  明き
３  両面接着テープ              ４  ゴム部分
【図１】
2007215979.tif 000003
【図２】
2007215979.tif 000004
【図３】
2007215979.tif 000005
【図４】
2007215979.tif 000006
【図５】
2007215979.tif 000007
【図６】
2007215979.tif 000008
(57)【要約】【課題】  油絵具のチューブを保護携帯して、使用時は透明なシートを通して絵具の色の区別が明確にできるとともに、簡単に出し入れできる、携帯用絵具収納袋を提供する。【解決手段】  その短辺方向同志を、各短辺に設けられた雌雄の面ファスナーにより、２ツ折にして係脱可能に形成した帯状の収納袋体であって、その内面においては、絵具を横に連続的に収納可能となるよう、透過素材にて、山型のポット状の仕切りを設けつつ、連接させて設け、一方の短辺側端部には吊り下げかけ具を設けた収納袋から成り、前記、面ファスナー同志を合わせ、全体を２つ折にして、吊り下げ受け具の着いたカバンに装着し、カバンの底面から浮いた状態で携帯できることを特徴とする携帯用絵具収納袋。【選択図】図１
2007215971.tif 000002
【特許請求の範囲】
【請求項１】
その短辺方向同志を、各短辺に設けられた雌雄の面ファスナーにより、２ツ折にして係脱可能に形成した帯状の収納袋体であって、その内面においては、絵具を横に連続的に収納可能となるよう、透過素材にて山型のポット状の仕切りを設けつつ連接させて設け、一方の短辺側端部には、吊り下げかけ具を設けた収納袋から成り、前記、面ファスナー同士を合わせ、全体を２つ折にして、吊り下げ受け具の着いたカバンに装着し、カバンの底面から浮いた状態で携帯できることを特徴とする携帯用絵具収納袋。
【請求項２】
前記収納袋を係脱可能なカバンであって、内部に形成された仕切り面において、その頂辺近傍に前記絵具収納袋受け具を設けたことを特徴とする、絵具収納袋専用カバン。
【発明の詳細な説明】
【技術分野】
【０００１】  本発明は、油絵具のチューブを保護携帯して、使用時は透過素材を通して絵具の色の区別が明確にできるとともに簡単に出し入れできる携帯用絵具収納袋ならびにその専用カバンに関するものである。
【背景技術】
【０００２】  従来、油絵のレッスンに通う場合の油絵具は木製箱型の油絵専用カバンの絵具入れ部分に収納するか、夫々に個人の工夫で携帯していた。
【発明の開示】
【発明が解決しようとする課題】
【０００３】  木製箱型の油絵専用カバンの絵具入れ部分は、基本の１２色入紙箱が収納される程度のもので、色数を増やすために紙箱を取り払ってフリーで入れると、チューブ同士の接触で、蓋がはずれたり、色の区別が困難になる。
そもそも、木製の箱は、活用している人も少ない。
従って、夫々が個人の工夫で携帯している場合が殆んどで、多くは、チューブの蓋がはずれて絵具が飛び出したとか、絵具の色分けや重さに悩んでいる。
【課題を解決するための手段】
【０００４】  その短辺方向同志を各短辺に設けられた雌雄の面ファスナーにより、２ツ折にして係脱可能に形成した帯状の収納袋体であって、その内面においては、絵具を横に連続的に収納可能となるよう、透過素材にて山型のポット状の仕切りを設けつつ、連接させて設ける。
一方の短辺側端部には、吊り下げかけ具を設けた収納袋から成り、前記、面ファスナー同志を合わせ、全体を２つ折にして、吊り下げ受け具の着いたカバンに装着し、カバンの底面から浮いた状態で携帯できることを特徴とする携帯用絵具収納袋。
【発明の効果】
【０００５】  以上により、油絵具を個々の絵具室に収納し２ツ折にして吊り下げ状態で携帯することにより、絵具同士の接触もなく、底辺がカバンの底面から浮いた状態であるから、絵具のチューブがつぶれる心配もない。
また、使用時は、面ファスナーを開くだけで、透過素材の上から色の区別が簡単にできるので、色探しの必要もない。
使用後は、再び２ツ折にして、吊り下げ状態で携帯する。
【発明を実施するための最良の形態】
【０００６】  本発明は以上の構成よりなる。
以下その使用方法について説明する。
（イ）本発明は、図１絵具収納袋（１）と、図４の絵具収納袋収納部（１０）とより構成される。
（ロ）図１、絵具収納袋（１）は図１〜図３に示すように、表透過素材（２）裏シート（３）絵具室（４）ファスナー（５）面ファスナー（６ａ）、（６ｂ）吊り下げかけ具（７）仕切り（８）より構成される。
（ハ）表透過素材（２）は、裏シート（３）の上に絵具のチューブが入る程のふくらみをもち、仕切り（８）で区切られて並列している。
裏シート（３）は長方形の柔かく、軽く、丈夫な素材で、絵具のチューブを乗せ、折り曲げて携帯する。
絵具室（４）は、絵具のチューブを１本づつ入れる空間になっている。
ファスナー（５）は、絵具収納袋（１）を携帯する時、図２のように閉じた状態で絵具が飛び出すのを防止し、絵具使用時は、図３のＡ−Ａに示すように開いておく。
面ファスナー（６ａ）、（６ｂ）は、図２の状態から２ツ折にして図１の状態にする時、合わせて使用する。
吊り下げかけ具（７）は、図４に示すように絵具収納袋受け具（９）に吊り下げる時使用する。
仕切り（８）は、個々の絵具同志が接触しないよう設けられている。
（ニ）図４〜図７は、絵具収納袋（１）を携帯するためのカバンの説明図である。
図４の絵具収納袋受け具（９）は、絵具収納袋収納部（１０）にあり、吊り下げかけ具（７）がかかるようになっていて、この時、絵具収納袋（１）の底辺は、カバンの底面から少し浮き上っている。
図６、図７は、手持ち、肩かけ、リュックの３通りの方法で携帯できる専用カバンの図で、その一部は、携帯用絵具収納袋（１）が、吊り下げかけ具（７）で取りつけられるようになっている。
【図面の簡単な説明】
【０００７】
【図１】  本発明の斜視図
【図２】  本発明の開いた状態を示した正面図
【図３】  本発明の使用時の説明図
【図４】  本発明のカバンに収納した時の断面図
【図５】  本発明のカバンに収納した時の説明斜視図
【図６】  本発明の収納、携帯に便利なカバンの斜視図
【図７】  本発明の収納部分を示したカバンの斜視図
【符号の説明】
【０００８】  １  絵具収納袋
２  表透過素材
３  裏シート
４  絵具室
５  ファスナー
６；６ａ；６ｂ  面ファスナー
７  吊り下げかけ具
８  仕切り
９  絵具収納袋受け具
１０  絵具収納袋収納部
【図１】
2007215971.tif 000003
【図２】
2007215971.tif 000004
【図３】
2007215971.tif 000005
【図４】
2007215971.tif 000006
【図５】
2007215971.tif 000007
【図６】
2007215971.tif 000008
【図７】
2007215971.tif 000009
(57)【要約】【課題】白髪だけを頭皮近くの根元で切ることを可能にする白髪カッターを提供する。【解決手段】鋏本体のどちらか片方の先端刃部に、細長状に切込み部を設けた白髪固定部を固着し、白髪を白髪止め部まで挿入した後、鋏本体を頭部に向けて移動させ、白髪固定部の先端刃部で、白髪だけを確実に切ることを特徴とした白髪カッター。【選択図】図１
2007215976.tif 000002
【特許請求の範囲】
【請求項１】
鋏本体のどちらか片方の先端刃部に、細長状に切込み部を設けた白髪固定部を固着し、白髪を白髪止め部まで挿入した後、鋏本体を頭部に向けて移動させ、白髪固定部の先端刃部で、白髪だけを確実に切ることを特徴とした白髪カッター。
【発明の詳細な説明】
【技術分野】
【０００１】本発明は、白髪だけを頭皮近くの根元で切ることを可能にする白髪カッターに関するものである。
【背景技術】
【０００２】従来、白髪だけを確実に切るためには第三者に依頼せざるを得ず、本人自身で切る場合は、不用意に周りの黒髪も切ることが多かった。第三者が切る場合も周りの黒髪と確実に区別するために、両手で白髪を頭皮近くの根元まで追って行き、根元を確認した後にどちらかの手を離し鋏を取って切っていた。
【発明の開示】
【発明が解決しようとする課題】
【０００３】その為に次のような問題があった。
（イ）  一本の白髪を切るためにだけでも多大な時間を要した。
（ロ）  整髪料等を使用している場合、両手に多くの整髪料等が付着した。
（ハ）  白髪の周囲の黒髪を確実に押える事が困難であった。
本発明は以上の問題点を解決するものである。
【課題を解決するための手段】
【０００４】鋏本体のどちらか片方の先端刃部に、細長状に切込み部を設けた白髪固定部を固着し、白髪を白髪止め部まで挿入した後、鋏本体を頭部に向けて移動させ、白髪固定部の先端刃部で、白髪だけを確実に切る。以上を特徴とする白髪カッターである。
【発明の効果】
【０００５】白髪と黒髪との仕分けが簡単になり、白髪切りの時間が大幅に短縮出来る。手に付く整髪料等も少なくなる。又、白髪固定部を頭皮に密着させた時に白髪固定部が白髪周囲の黒髪を抑えるので、不用意に黒髪を切る恐れがなくなる。更に又、鋏本体にスプリングを設けたことにより、白髪固定部に内蔵された先端刃部は、常時開放の状態にあり、白髪に沿って白髪固定部を頭皮まで移動させる間に、白髪を切ってしまうことを避けることが出来る。
【発明を実施するための最良の形態】
【０００６】以下、本発明の実施の形態を説明する。
（イ）  鋏本体（１）の先端に、細長状に切込み部（４）を設けた白髪固定部（２）を設ける。白髪固定部（２）は鋏本体（１）のどちらか片方の先端刃部（３）に、ぐらぐらせぬように溶接等でしっかりと固着する。
（ロ）  白髪固定部（２）の先端の切り込み部（４）は、白髪（６）の受け入れを容易にするため丸みをおびさせる。又、白髪止め部（５）も白髪（６）を不用意に切らぬように、同様に丸みをおびさせる。
（ハ）  鋏本体（１）にスプリング（７）を設けることにより、白髪固定部（２）に内臓された先端刃部（３）を常時開放状態に保ち、鋏本体（１）を頭部に向けて移動させる際、不用意に白髪を切らぬようにする。
本発明は、以上の構成によりなっている。
本発明は以上の構成からなるのでこれを使用するときは、白髪（６）を選び、切り込み部（４）から白髪（６）を挿入し、白髪（６）が白髪止め部（５）に当たるまで鋏本体（１）を前方に移動させる。更に鋏本体（１）を白髪（６）に沿うように、頭部の矢印（Ａ）の方向に移動させ、白髪固定部（２）を頭皮に密着させた上で、白髪固定部（２）に内臓された先端刃部（３）で、白髪（６）だけを確実に切る。従って一本だけを容易にカット出来る。
【図面の簡単な説明】
【０００７】
【図１】本発明の斜視図
【図２】本発明の平面図
【図３】本発明の側面図
【図４】本発明の部分拡大図（白髪固定部と先端刃部の固着を示す）
【図５】本発明の部分拡大図（切り込み部と白髪止め部の詳細を示す）
【図６】本発明の使用状態を示す斜視図
【符号の説明】
【０００８】１    鋏本体
２    白髪固定部
３    先端刃部
４    切り込み部
５    白髪止め部
６    白髪
７    スプリング
【図１】
2007215976.tif 000003
【図２】
2007215976.tif 000004
【図３】
2007215976.tif 000005
【図４】
2007215976.tif 000006
【図５】
2007215976.tif 000007
【図６】
2007215976.tif 000008
(57)【要約】【課題】  従来、急須でお茶を注ぐと注ぎ口より液だれを起こし、テーブルやクロス、お盆等を汚すため、その都度の拭き取りの手間と苦痛があった。【解決手段】  注ぎ口内で広がり弾性により位置固定する挿入Ｕ字部（２）と、この挿入Ｕ字部（２）から注ぎ口上部に延設された上端部（３）と、前記挿入Ｕ字部（２）の他端から延設され下方に向け配置され、先端隙間部（４）を形成するように折り返されることで形成される注ぎ誘導部（５）と、この注ぎ誘導部（５）から延設され補助隙間部（６）を形成するように、下方に折り返されることで形成される補助部（７）とにより構成されることを特徴とする。【選択図】図４
2007215995.tif 000002
【特許請求の範囲】
【請求項１】
針金やプラスチックなどの可撓性の線材によりなり、急須ややかん等の任意の注ぎ口内で広がり弾性により位置固定する挿入Ｕ字部と、この挿入Ｕ字部から注ぎ口上部に延設された上端部と、前記挿入Ｕ字部の他端から延設され下方に向け配置され、先端隙間部を形成するように折り返されることで形成される注ぎ誘導部と、この注ぎ誘導部から延設され補助隙間部を形成するように、下方に折り返されることで形成される補助部とにより構成されることを特徴とする液だれ防止具。
【発明の詳細な説明】
【技術分野】
【０００１】  本発明は、急須でお茶を注ぐ時に発生する注ぎ口の液だれ防止具に関する。
【背景技術】
【０００２】  従来より、急須でお茶注ぐ場合、注ぎ終わり時や数回に注ぎ分けて、急須を水平に戻した時、注ぎ口先端部に注ぎ液が残り液だれとなり、テーブルやクロス、お盆などを汚していた。また、少量注ぎした時にも液だれが起こっていた。【０００３】  このため、注ぎ口先端部にビニール管を装着する方法や、急須注ぎ口先端下部に突起を設けたものがあった（例えば、特許文献１参照）。【０００４】  以下、従来の液だれ防止具について説明する。注ぎ口先端部にビニール管を装着するものは破損防止、及び液切れを良くしようというものである。【０００５】  注ぎ口先端下部に突起を設けたものは、注ぎ口より漏れ出た液だれが、注ぎ口先端下部に設けた突起に向かい、突起よりしずくが垂れるようになっている。
【特許文献１】  実登３０４７０９４
【発明の開示】
【発明が解決しようとする課題】
【０００６】  以上に述べたように従来の液だれ防止具は、ビニール管を装着したものは破損防止としては役に立っているが、液だれ防止具としては、装着しないものと同じように液だれしておりほとんど役に立っていない。【０００７】  注ぎ口先端下部に突起を設けたものは、液だれが急須の底にまで伝っていかないようであるが、やはり注ぎ口より液だれしている。【０００８】    本発明は、このような従来の問題を解決しようというものであり、液だれでテーブルやクロス、お盆などを汚さないようにしようというものである。
【課題を解決するための手段】
【０００９】    そして、本発明は上記目標を達成するために、針金やプラスチックなどの可撓性の線材を、急須注ぎ口内で広がり弾性により位置固定する挿入Ｕ字部（２）と、この挿入Ｕ字部（２）から注ぎ口上部に延設された上端部（３）と、前記挿入Ｕ字部（２）の他端から延設され、下方に向け配置され先端隙間部（４）を形成するように折り返されることで形成される注ぎ誘導部（５）と、この注ぎ誘導部（５）から延設され補助隙間部（６）を形成するように、下方に折り返されることで形成される補助部（７）とにより構成される液だれ防止具である。
【発明の効果】
【００１０】  本発明を注ぎ口に装着した急須でお茶注ぎをすれば、液だれを起こさずテーブルやクロス、お盆などを汚さないので、その都度の拭き取りの手間と苦痛を解決する。
【発明を実施するための最良の形態】
【００１１】  以下、本発明の実施の形態を図に基づいて説明する。
図１、４において、針金やプラスチックなどの可撓性の線材を、急須注ぎ口内で広がり弾性により位置固定する挿入Ｕ字部（２）と、この挿入Ｕ字部（２）から注ぎ口上部に延設された上端部（３）と、前記挿入Ｕ字部（２）の他端から延設され、下方に向け配置され先端隙間部（４）を形成するように折り返されることで形成される注ぎ誘導部（５）と、この注ぎ誘導部（５）から延設され補助隙間部（６）を形成するように、下方に折り返されることで形成される補助部（７）とにより構成されている。【００１２】  前記挿入Ｕ字部（２）は、補助部上端曲がり部（７）が注ぎ口先端位置となるように装着し、先端隙間部（４）から連続して注ぎ口下内壁との間に口内隙間部（８）を形成するものであり、各隙間の毛細管力と表面張力により液だれとなる残液を注ぎ口内に誘導する。【００１３】  また、少量注ぎした時に見られる液だれについて、注ぎ口先端から下側の外壁を伝わろうとする注ぎ液を、先端隙間部（４）がすばやく吸収し注ぎ誘導部（５）に導く、補助隙間部（６）がこの働きを強める役割を果たしている。【００１４】  以下、上記構成の動作を説明する。本発明を注ぎ口に装着した急須（１）にお湯を入れ普通にお茶を注ぐ、または数回に注ぎ分け、急須を水平に戻した時、注ぎ口先端部の液だれとなる残液を、前述のように先端隙間部（４）及び口内隙間部（８）の毛細管力と表面張力の働きで、注ぎ口内に誘導する。【００１５】  また、少量注ぎした時に起こる液だれについても、前述のように、注ぎ口先端から下側の外壁を伝わろうとする注ぎ液を、端先端隙間部（４）がすばやく吸収し注ぎ誘導部（５）に導く、補助隙間部（６）がこの働きを強める役割を果たすため液だれは起こらない。【００１６】  以上のように、本実施形態によれば、本発明を注ぎ口に装着した急須（１）で、お茶を注げば、液だれを防ぎ、テーブルやクロス、お盆などを汚さない。
【産業上の利用可能性】
【００１７】  土瓶や、やかん、ティーポット、水差し、醤油差しなど、急須の注ぎ口と、同じような注ぎ口を有するものに応用できる。
【図面の簡単な説明】
【００１８】
【図１】  本発明の正面図
【図２】  本発明の平面図
【図３】  本発明の右側面図
【図４】  本発明を注ぎ口に装着した時の詳細な断面図
【図５】  本発明を急須に装着した時の正面図
【符号の説明】
【００１９】    １  急須
２  挿入Ｕ字部
３  上端部
４  先端隙間部
５  注ぎ誘導部
６  補助隙間部
７  補助部
８  口内隙間部
９  注ぎ口
【図１】
2007215995.tif 000003
【図２】
2007215995.tif 000004
【図３】
2007215995.tif 000005
【図４】
2007215995.tif 000006
【図５】
2007215995.tif 000007
(57)【要約】【課題】小便器本体の底部の排水孔の清掃を不要にできる男性用小便器を提供することを目的とする。【解決手段】小便器本体２の底部に形成された排出孔３に内装管１０を挿脱自在に挿着する。内装管１０の上部には止水体となる外管体１１を設ける。外管体１１には、排出孔３の内面に当接する止水部としての弾性リング１３を設ける。小便器本体２になされた小便（尿）は、排出孔３には流入せずに内装管１０に流入するので、排出孔３は尿で汚されない。内装管１０が尿で汚されたならば、これを交換すればよいので、排出孔３の清掃は不要にできる。内装管１０は、合成樹脂などにより安価に製造できる。【選択図】図２
2007215946.tif 000002
【特許請求の範囲】
【請求項１】
底部に排出孔が形成された小便器本体と、前記排出孔に上方から挿脱自在に挿着される内装管と、前記排出孔上に着脱自在に被蓋される通水性の蓋体とから成り、前記内装管の上部に前記排出孔の内面に当接する止水体を設けたことを特徴とする男性用小便器。
【請求項２】
前記止水体が、前記内装管の外寸よりも大きな外寸を有し、前記蓋体の下面に垂設された脚部が挿入される外管体と、この外管体の外面から外方へ突出して前記排出孔の前記内面に当接するリング状の止水部とから成ることを特徴とする請求項１記載の男性用小便器。
【発明の詳細な説明】
【技術分野】
【０００１】
本発明は、小便器本体の底部の排出孔の内面が尿で汚されるのを防止できるようにした男性用小便器に関するものである。
【背景技術】
【０００２】
男性用小便器の小便器本体の底部には排出孔が形成されており、小便（尿）はこの排出孔上に被蓋された通水性の蓋体を通って排出孔内を流下し、排出孔に連通する排水管などの外系へ排出されるようになっている。
【０００３】
排出孔には尿が頻繁に流下するため、その内面は汚れやすい。したがって、排出孔の内面は適宜清掃しなければならない。この排出孔の内面の清掃は、その上部に被蓋された蓋体を取りはずしたうえで、棒状のブラシなどの清掃手段を上方から排出孔内に挿入し、ブラシで内面を擦るなどして行われている。
【発明の開示】
【発明が解決しようとする課題】
【０００４】
しかしながら、排出孔の清掃は汚れ作業であるため忌避されがちである。しかも、排水孔の孔径は一般に小さく、しかも排出孔はかなり深いため、甚だ清掃しにくいものであった。
【０００５】
そこで本発明は上記従来の問題点を解消し、排水孔の清掃を不要にできる男性用小便器を提供することを目的とする。
【課題を解決するための手段】
【０００６】
請求項１記載の本願発明の男性用小便器は、底部に排出孔が形成された小便器本体と、前記排出孔に上方から挿脱自在に挿着される内装管と、前記排出孔上に着脱自在に被蓋される通水性の蓋体とから成り、前記内装管の上部に前記排出孔の内面に当接する止水体を設けたものである。
【０００７】
請求項２記載の本願発明の男性用小便器は、前記止水体が、前記内装管の外寸よりも大きな外寸を有し、前記蓋体の下面に垂設された脚部が挿入される外管体と、この外管体の外面から外方へ突出して前記排出孔の前記内面に当接するリング状の止水部とから成るものである。
【発明の効果】
【０００８】
上記構成の本発明によれば、小便器本体になされた小便（尿）は、排出孔には流入せず、排出孔に挿着された内装管内を流下して排水管などの外系へ排出される。したがって内装管は尿で汚されるが、排水孔は汚されない。内装管が汚れたならば、これを排出孔から抜き出し、新たな内装管を排出孔に挿着すればよい。このように、内装管が尿で汚れた場合には、これを交換すればよいので、排出孔の清掃は不要となる。
【発明を実施するための最良の形態】
【０００９】
図１は男性用小便器の断面図、図２は男性用小便器の下部の拡大断面図、図３は内装管の斜視図、図４は内装管の断面図である。
【００１０】
図１および図２において、男性用小便器１は、小便器本体２を主体にしている。小便器本体２の底部には、下方へ通じる円孔状の排出孔３が垂直に深く形成されている。排出孔３は、その上部の大径部３ａとその下部の小径部３ｂから成っている。
【００１１】
排出孔３には、内装管１０が上方から挿脱自在に挿着して内装されている。図３および図４において、内装管１０は円管体から成り、その上部には、内装管１０の外寸（直径）Ｄ１よりも大きな外寸（直径）Ｄ２を有する止水体としての外管体１１が内装管１０と一体的に成型して設けられている。このような内装管１０と外管体１１は、合成樹脂などにより安価に一体形成して製造できる。
【００１２】
外管体１１は略容器形であって、その上端部には外方へ突出するつば部１２が形成されている。また外管体１１の上部（つば部１２のやや下方）の外面にはリング状の止水部である弾性リング１３が装着して設けられている。弾性リング１３は外管体１１の外面から外方へ突出しており、内装管１０を排出孔３内に挿入すると、弾性リング１３の外端は排出孔３の大径部３ａの上部内面に弾性的に当接する（図２）。
【００１３】
図２において、内装管１０が内装された排出孔３内上には蓋体２０が着脱自在に被蓋される。蓋体２０の下面には管状の脚部２１が垂設されており、蓋体２０はこの脚部２１を外管体１１内に挿入して排出孔３上に被蓋されるようになっている。この蓋体２０は孔部（図示せず）が開孔されて通水性を有しており、小便器本体２になされた尿は、矢印ａで示すように蓋体２０を通って内装管１０内に流入し、内装管１０内を流下して、その下方に設けられた排水管などの外系（図示せず）に排出される。
【００１４】
このように、小便器本体２になされた尿は、排出孔３を流下せずに排出孔３の内部に挿着された内装管１０内を流下するので、排出孔３は尿で汚れず、内装管１０が尿で汚れる。そして内装管１０が尿で汚れたならば、排出孔３上の蓋体２０を取りはずしたうえで内装管１０を排出孔３から抜き取り、新たな内装管１０を排出孔３内に挿着したうえで、排出孔３上に蓋体２０を被蓋する。
【産業上の利用可能性】
【００１５】
本発明によれば、小便器本体になされた小便（尿）は、排出孔には流入せず、排出孔に挿着された内装管内を流下して排水管などの外系へ排出されるので、内装管は尿で汚されるが、排水孔は汚されない。そして内装管が汚れたならば、これを排出孔から抜き出し、新たな内装管を排出孔に挿着すればよい。このように、内装管が尿で汚れた場合には、安価に製造可能な内装管を交換すればよいので、排出孔の清掃は不要となる。
【図面の簡単な説明】
【００１６】
【図１】男性用小便器の断面図
【図２】男性用小便器の下部の拡大断面図
【図３】内装管の斜視図
【図４】内装管の断面図
【符号の説明】
【００１７】
１  男性用小便器
２  小便器本体
３  排出孔
１０  内装管
１１  外管体（止水体）
１３  弾性リング（止水部）
２０  蓋体
【図１】
2007215946.tif 000003
【図２】
2007215946.tif 000004
【図３】
2007215946.tif 000005
【図４】
2007215946.tif 000006
(57)【要約】【課題】  足にぴったりフィットしたブーツ・長靴が直接手でひっぱらずに簡単に脱げる靴ベラを提供する。【解決手段】  靴ベラ（１）の先を略Ｕ字状の二股の形にし、それぞれの２つの先に滑り止めを設けたことを特徴とする。【選択図】図１
2007215963.tif 000002
【特許請求の範囲】
【請求項１】
靴ベラ本体の先端を略Ｕ字状の二股の形にし、それぞれに滑り止めを設けたことを特徴とした、ブーツ・長靴脱ぎ靴ベラ。
【発明の詳細な説明】
【技術分野】
【０００１】  本発明は、靴ベラの先を二股の形にし、２つの先に弾性体の滑り止めを設けることで、ブーツ・長靴を楽に、しかも表面を傷つけないように脱ぐことができるように工夫したブーツ・長靴脱ぎ靴ベラに関するものである。
【背景技術】
【０００２】  従来、靴を脱ぐ時は、手でブーツを引っ張り、ブーツのかかと同士をこすり合わせたりするため、靴の表面を傷めていた。
従来の先行技術は、特開平１０−３２８０１０、特開２０００−１３５１５６、特開２０００−１６６７４０などがあった。
【発明の開示】
【発明が解決しようとする課題】
【０００３】  そのために、次のような問題点があった。
足にぴったりフィットしたブーツ・長靴は、脱ぎにくく、かかとをこすり合わせて脱ぐと表面が傷ついた。
姿勢を屈めて手で引っ張って脱ぐと、手が汚れた。
無理に力を入れて脱ぐと足がつってしまった。
本発明は、これらの問題点を解決するためになされたものである。
【課題を解決するための手段】
【０００４】  靴ベラ本体の先端を略Ｕ字状の二股の形にし、それぞれに滑り止めを設けたことを特徴とした、ブーツ・長靴脱ぎ靴ベラ。
【発明の効果】
【０００５】  脱ぎにくい足にぴったりフィットしたブーツ・長靴でも、本発明品を使えば簡単に足からはずれる。
手で引っ張らないので、手が汚れない。
姿勢を屈めなくてよい。
無理に力を入れないので、足がつらない。
かかと同士をこすり合わせないので、靴の表面が傷つかない。
デパートの靴売り場で、何足もためし履きするときに大変楽である。
【発明を実施するための最良の形態】
【０００６】  発明を実施するための最良の形態について説明する。
靴ベラ（１）の先を略Ｕ字状の二股の形にし、それぞれの２つの先に弾性体の滑り止め（２）を設ける。
本発明は以上のような構成である。
これを使用するときは、靴ベラ（１）を握り、二股のＵ字型の所の弾性体の滑り止め（２）を、ブーツの足首部分を後ろから挟むように当てる。
足首に靴ベラ（１）をひっかけ、下に向かって力をかけると足から靴がはずれる。
二股の先に、弾性体の滑り止め（２）が付いているため、靴をしっかりと挟むことができ、靴の表面に傷が付くのを防ぐ。
また、各人靴のデザイン、幅、厚みが異なるが、足首の挟み方を深くしたり浅くしたりして調節できる。
【図面の簡単な説明】
【０００７】
【図１】  本発明の斜視図
【図２】  本発明の要部を拡大して示したＡ−Ａ断面図
【図３】  本発明の使用状態を示した斜視図
【符号の説明】
【０００８】    １    靴ベラ
２    滑り止め
【図１】
2007215963.tif 000003
【図２】
2007215963.tif 000004
【図３】
2007215963.tif 000005
(57)【要約】      （修正有）【課題】本発明は、大腿部を囲んで支持することで股関節及び骨盤を内側に牽引し矯正するベルトを提供することを目的とする。【解決手段】３本ベルト股関節及び骨盤矯正具を大腿部に装着し椅子に着座し調整することで左右の大腿部は回内する。これにより年齢と共に開いた股関節と横幅の広くなった骨盤を内側に牽引し矯正することに極めて有効である。【選択図】図２
2007215970.tif 000002
【特許請求の範囲】
【請求項１】
３本のベルトを有する股関節及び骨盤矯正具であって、矯正具のベルトを大腿骨大転子部、大腿骨中央部、大腿骨膝窩面の３箇所から矯正具の中央部に牽引し椅子に座ることで左右の大腿部が回内する。回内した大腿部は股関節及び骨盤を内側に牽引し年齢と共に開いた股関節と横幅の広くなった骨盤を内側に矯正する。
【請求項２】
矯正具の３本のベルトは伸縮性を有し、ベルトにはテープアジャスターを装備し３本のベルトは単独で長さ及び引っ張り弾性の調整ができる。更にベルト内側の大腿部と接触する部分にはシリコーンゴム、ポリウレタン等合成ゴム、天然ゴムなどを用い面や線、点で塗布することで摩擦力を増加させベルトのズレを防止する。矯正具の脱着は矯正具の中央部にある接合部分にマジックテープ、ホック、ボタン、テープバックルなどを用いることで簡便に脱着できる股関節及び骨盤矯正具である。
【発明の詳細な説明】
【技術分野】
【０００１】本発明は、３本ベルト股関節及び骨盤矯正具に関する。
【背景技術】
【０００２】従来、股関節及び骨盤矯正具は、臀部、骨盤を囲んで牽引し矯正するもので、大腿部を囲んで牽引し矯正するものではなかった。（例えば、特許文献１参照）【０００３】なお、本願発明に関する公知技術として次の特許文献１を挙げることができる。
【特許文献１】特許公開平６−７３９４公報（４頁、図２）
【発明の開示】
【発明が解決しようとする課題】
【０００４】上述の如く、従来技術に関わる股関節及び骨盤矯正具は、臀部、骨盤を囲んで牽引し矯正するものであった、本発明は大腿部を囲んで牽引することで股関節及び骨盤を内側に牽引し矯正するベルトを提供することを目的とする。
【課題を解決するための手段】
【０００５】本発明は、上記問題点を解決することを目的とし、３本ベルト股関節及び骨盤矯正具を大腿部に装着し椅子に着座する。  着座の後３本のベルトをそれぞれ大腿部の内側が接触する程度まで牽引調整し大腿部を回内させることを特徴とする。
【発明の効果】
【０００６】以上説明したように本発明によれば、３本ベルト股関節及び骨盤矯正具を大腿部に装着し椅子に着座し調整することで左右の大腿部は回内する。これにより年齢と共に開いた股関節と横幅の広くなった骨盤を内側に牽引し矯正することに極めて有効である。
【発明を実施するための最良の形態】
【０００７】以下、本発明の実施の形態を図面に基づき詳細に説明する。【０００８】図１は本発明の実施の形態に係り、３本ベルト股関節及び骨盤矯正具の概観図である。図２は本発明を装着し椅子に着座し側面から見た図である。図３は本発明を装着し椅子に着座し上部から見た図である。図４は椅子に着座し脚を前方から見た図である。【０００９】図２に示すように、本矯正具１４は椅子に着座して使用する。【００１０】図１、図３に示すように、本矯正具１１は３本の伸縮性の有るベルト１７、１８、１９を末端で結合し１３、１６の接合部分にマジックテープ、ホック、ボタン、テープバックルなどを用いることで簡便に脱着できる【００１１】図１、図３に示すように、本矯正具１１の３本の伸縮性の有るベルトはテープアジャスター１２、１５を調整することで長さ及び引っ張り弾性の調整をすることができる。【００１２】図３に示すように、本矯正具のベルト１７は大腿骨大転子部から矯正具の中央部に牽引する。【００１３】図３に示すように、本矯正具のベルト１８は大腿骨中央部から矯正具の中央部に牽引する。【００１４】図３に示すように、本矯正具のベルト１９は大腿骨膝窩面から矯正具の中央部に牽引する。【００１５】図４に示すように、２１、２２は本矯正具装着時の左右の膝及び脚の位置で有る。２０、２３は開脚時の左右膝及び脚の位置である。２４、２５は左右足の位置である。２０、２３の開いた膝及び脚が本矯正具装着により２１、２２の位置になることで左右の大腿部は回内する。この回内により股関節及び骨盤を内側に牽引し年齢と共に開いた股関節と横幅の広くなった骨盤の矯正に極めて有効である。
【産業上の利用可能性】
【００１６】本発明は、股関節及び骨盤矯正具として有用な成形品を設計、製造、販売する産業分野で利用することができる。
【図面の簡単な説明】
【００１７】
【図１】図１は本発明の実施の形態に係り、３本ベルト股関節及び骨盤矯正具の概観図である。
【図２】図２は本発明を装着し椅子に着座し側面から見た図である。
【図３】図３は本発明を装着し椅子に着座し上部から見た図である。
【図４】図４は椅子に着座し脚を前方から見た図である。
【符号の説明】
【００１８】１１  ３本ベルト股関節及び骨盤矯正具の概観図
１２  ベルトのテープアジャスター
１３  ベルトの接合部分
１４  本矯正具装着座位側面図
１５  ベルトのテープアジャスター
１６  矯正具装着時のベルト接合部分
１７  大腿骨大転子部から矯正具の中央部に牽引するベルト
１８  大腿骨中央部から矯正具の中央部に牽引するベルト
１９  大腿骨膝窩面から矯正具の中央部に牽引するベルト
２０  開脚時の右膝及び脚の位置
２１  本矯正具装着時の右膝及び脚の位置
２２  本矯正具装着時の左膝及び脚の位置
２３  開脚時の左膝及び脚の位置
２４  右足の位置
２５  左足の位置
【図１】
2007215970.tif 000003
【図２】
2007215970.tif 000004
【図３】
2007215970.tif 000005
【図４】
2007215970.tif 000006
(57)【要約】      （修正有）【課題】従来の柄付きモップ保持具は、柄から手を離したら柄が倒れるという問題があった。これは、柄が前後左右自在に動かせるが、モップ台と柄を垂直状態に保つことが出来ないためである。【解決手段】モップ台３とモップ柄１の付け根にバネ２を設け、さらにモップ台３とモップ柄１の付け根に外バネ６を置き、その外バネ６をモップ台３に固定するためのネジ４を設けて構成した。これにより、柄１は柄１の末端バネ２と外バネ６の伸縮により前後左右自在に動かすことができ、また、柄１から手を離しても、柄１の末端バネ２と外バネ６の張力により、柄１が倒れるのを防止することができる。【選択図】図５
2007215966.tif 000002
【特許請求の範囲】
【請求項１】
モップ台とモップ柄の付け根にバネを設けたモップ保持具。
【請求項２】
モップ台とモップ柄の付け根に外バネを置き、その外バネをモップ台に固定するためのネジを設けたモップ保持具。
【発明の詳細な説明】
【技術分野】
【０００１】  本発明は、モップの柄から手をはなしても、柄が倒れないように図った、柄付きモップ保持具に関する。
【背景技術】
【０００２】  従来の柄付きモップ保持具には、モップと柄の付け根部分をネジで把持し、前後左右自在に動かせるものがあった。（例えば、特開平７−５１２１２）
【発明の開示】
【発明が解決しようとする課題】
【０００３】  以上に述べた従来の柄付きモップ保持具では、柄から手を離したら倒れてしまうものであった。【０００４】  本発明は、このような従来の構成が有していた問題を解決しようとするものであり、モップの柄から手をはなしても、柄が倒れない柄付きモップ保持具を実現することを目的とするものである。
【課題を解決するための手段】
【０００５】  そして、本発明は上記目的を達成するためにモップ台とモップ柄の付け根にバネを設け、さらにモップ台とモップ柄の付け根に外バネを置き、その外バネをモップ台に固定するためのネジを設けたものである。
【発明の効果】
【０００６】  上述したように本発明の柄付きモップ保持具は、モップの柄から手をはなしても、柄が倒れない柄付きモップ保持具を提供できる。
【発明を実施するための最良の形態】
【０００７】  以下、本発明の実施の形態を図１〜図５に基づいて説明する。【０００８】  図においては、柄１はモップ台３に柄の末端バネ２により固定され、その外側を外バネ固定用内ネジ５を取り付けた外バネ６で覆う。【０００９】  外バネ６とモップ台３は、外バネ固定用内ネジ５とモップ台３に取り付けられた外バネ固定用外ネジ４により固定される。【００１０】  以下、上記構成の動作を説明する。柄１は柄の末端バネ２と外バネ６の伸縮により前後左右自在に動かすことができ、また、柄１から手を離しても、柄の末端バネ２と外バネ６の張力により、柄１が倒れるのを防止することができる。【００１１】  以上のように、本実施形態によればモップの柄の転倒防止効果が得られるものである。
【図面の簡単な説明】
【００１２】
【図１】本発明の実施形態を示す、柄と柄の末端バネをモップ台に取り付けた横面図
【図２】同上面図
【図３】外バネに外バネ固定用内ネジを取り付けた横面図
【図４】同上面図
【図５】柄と柄の末端バネと外バネをモップ台に取り付けた横面図
【符号の説明】
【００１３】  １  柄
２  柄の末端バネ
３  モップ台
４  外バネ固定用外ネジ
５  外バネ固定用内ネジ
６  外バネ
【図１】
2007215966.tif 000003
【図２】
2007215966.tif 000004
【図３】
2007215966.tif 000005
【図４】
2007215966.tif 000006
【図５】
2007215966.tif 000007
(57)【要約】【課題】  本発明は、人の四肢、頚、体幹等の筋力を測定するために、人の力で、内側筒に押す力を加えて圧縮コイルバネを圧縮する距離にバネ定数を乗じて筋力を定量的に測定できるように工夫したものである。  圧縮された距離を外側筒のｍｍ単位の定規上で測定し、バネ定数を乗じることで人の押した筋力が測定できるように工夫した、簡易筋力測定装置に関するものである。【解決手段】  ｍｍ単位の定規（４）が表示された内径の大きな外側筒（２）の底に圧縮コイルバネ（３）を設置し、内径の小さな内側筒（１）を外側筒（２）の中に挿入した装置で、筋力測定には、人が四肢、頚、体幹等で内側筒に押す力を加えて圧縮コイルバネ（３）を圧縮し、圧縮された距離を外側筒（２）のｍｍ単位の定規（４）上で測定し、バネ定数を乗じることで人の押した筋力が測定できるようにしたことを特徴とした簡易筋力測定装置。【選択図】図１
2007215969.tif 000002
【特許請求の範囲】
【請求項１】
ｍｍ単位の定規（４）が表示された内径の大きな外側筒（２）の底に圧縮コイルバネ（３）を設置し、内径の小さな内側筒（１）を外側筒（２）の中に挿入した装置で、筋力測定には、人が四肢、頚、体幹等で内側筒（１）に押す力を加えて圧縮コイルバネ（３）を圧縮し、圧縮された距離を外側筒（２）のｍｍ単位の定規（４）上で測定し、バネ定数を乗じることで人の押した筋力が測定できるようにしたことを特徴とした簡易筋力測定装置。
【発明の詳細な説明】
【技術分野】
【０００１】  本発明は、人が四肢、頚、体幹等の筋力を測定するために、人の力で、内側筒に押す力を加えて圧縮コイルバネを圧縮する距離にバネ定数を乗じて筋力を定量的に測定できるように工夫したものである。
圧縮された距離を外側筒のｍｍ単位の定規上で測定し、バネ定数を乗じることで人の押した筋力が測定できるように工夫した、簡易筋力測定装置に関するものである。
【背景技術】
【０００２】  従来、人の四肢、頚、体幹等の筋力測定器はコンピューター内臓で測定数値がデジタル表示となっている精密な機器が開発され存在する。
このような測定機器は高価であり、測定の際の設定が煩雑であることが多く、又測定機器が大きい場合がある。
特定の研究機関や大学病院などに設置されているのみで一般病院や学校などではほとんど設置されていない。
【発明が解決しようとする課題】
【０００４】  人の四肢、頚、体幹等の筋力を測定するには、高価な測定機器を所有しなければならず、又コンピューター内臓の測定機器が多いため測定に要する設定や方法が煩雑であった。
さらに測定機器が大きく設置や扱いに困難な場合があった。
本発明は、これらの課題を解消するためになされたものである。
【課題を解決するための手段】
【０００５】  ｍｍ単位の定規（４）が表示された内径の大きな外側筒（２）の底に圧縮コイルバネ（３）を設置し、内径の小さな内側筒（１）を外側筒（２）の中に挿入した装置である。
筋力測定には、人が四肢、頚、体幹等で内側筒（１）に押す力を加えて圧縮コイルバネ（３）を圧縮する。
圧縮された距離を外側筒（２）のｍｍ単位の定規（４）上で測定し、バネ定数を乗じることで人の押した筋力が測定できるようにした。
以上のように構成された簡易筋力測定装置。
【発明の効果】
【０００６】  携帯可能である上に筋力測定の異なる肢位や体位の場面に応じることができる。
又圧縮コイルバネを取り替えることで筋力測定強度の範囲を拡大することができる。
廉価な材料で製作でき、一般病院や学校でも設置可能でありだれにでも簡易に人の四肢、頚、体幹等の筋力測定が可能となる。
【図面の簡単な説明】
【０００７】
【図１】  本発明の斜視図である。
【図２】  本発明の側面図である。
【図３】  本発明の要部の拡大図である。
【符号の説明】
【０００８】  １  内側筒
２  外側筒
３  圧縮コイルバネ
４  定規（ｍｍ）
【図１】
2007215969.tif 000003
【図２】
2007215969.tif 000004
【図３】
2007215969.tif 000005
(57)【要約】      （修正有）【課題】気軽に座った状態で足指を開きながら、同時にアキレス腱を伸ばすことができるストレッチ補助器具を提供する。【解決手段】足の指を開くための仕切りの付いた足底板１、足底を伸張させる足底板の裏側に付いたベルト２、足のズレ防止ベルト３によって構成されるストレッチ補助器具。このストレッチ補助器具の使用により、反母趾、内反小趾の予防、足の疲労、足のむくみ、ストレス回復、運動不足、血行促進の効果に期待が持てる。【選択図】図２
2007215967.tif 000002
【特許請求の範囲】
【請求項１】
足の指の間を開きながら、アキレス腱を伸ばすストレッチができる運動器具。
足の指を開きながら、アキレス腱を伸ばすことで、日頃の運動不足の解消脚の疲労回復、むくみの改善、外反母趾、内反小趾の予防に期待が持てる。
【発明の詳細な説明】
【技術分野】
【０００１】  本発明は、座った状態で、足指の間を開きながら、アキレス腱を伸ばすストレッチ補助器具に関する。
【背景技術】
【０００２】  足の指を開くスリッパや器具などはあるが、座った状態で足指を開きながら、同時にアキレス腱を伸ばすことができる、ストレッチを補助する器具は今までにない。
【特許文献１】  特開平  １１−３７０７４０
【発明の開示】
【発明が解決しようとする課題】
【０００３】  以上に述べた従来の足指を開くマッサージ器具、足裏などに着目した器具は数多く出ているが、手軽に座った状態で、足指を開きながらアキレス腱を伸ばす、ストレッチ補助器具は発明されていない。【０００４】  本発明は、足の指を開いた状態でアキレス腱を伸ばしながら、ストレッチをすることで、運動不足の解消、足のむくみ、脚の疲労などの改善、外反母趾、内反小趾の防止を目的するものである。
【課題を解決する手段】
【０００５】  そして、本発明は上記目的を達成するために、足の指を開くために５本の指の仕切りが付いた柔軟性のある足低板の裏側にベルトを縫着し、そのベルトを自分で引っ張ることで、５本の指を開きながら、アキレス腱を伸ばすことができるものである。
【０００６】  上記第１の課題解決手段による作用は次の通りである。すなわち、指の仕切りの付き、足の指を伸展するカーブのある足底板で足の指を開きながら、足底板に縫着したベルトを引っ張ることで、自分のアキレス腱の硬さの状態に合わせて自分でアキレス腱を伸ばすことができる。運動不足の解消、外反母趾、内反小趾の防止、足の疲労、むくみなどの改善に期待ができる。
【発明の効果】
【０００７】  上述したように、本発明の足指開きアキレス腱伸ばしストレッチ器具は、一度に足指のマッサージとアキレス腱を伸ばすことが出来、外反母趾、内反小趾の予防、足の疲労、むくみ、運動不足などの改善、血行の促進の効果に期待ができる。
【発明の実施するための最良の形態】
【０００８】  以下、本発明の実施の形態を図１〜図４に基づいて説明する。
【０００９】  図においては、１は足の指を開くための仕切りの付いた足底板。２は足底を伸展させる足底板の裏側についたベルト。３は足のズレ防止ベルト
【００１０】  以下、上記構成の動作を説明する。足指を開くために指の仕切りのある足底板の裏側にベルトを縫着し、そのベルトを自分で引っ張ることで、足指を開くと同時にアキレス腱を伸ばすことができるストレッチ補助器具。
足指を開放しながらアキレス腱を伸ばすことで、外反母趾の予防、足の疲労、むくみ、ストレス、運動不足などの改善に期待ができる。
【図面の簡単な説明】
【００１１】
【図１】本発明の足底板の正面図である。
【図２】同器具の足底板の側面図である。
【符号の説明】
【００１２】    １  足底板
１ａ足底板の５本の趾を仕切るループ部分。
２  足底伸展ベルト。
２ａ足底板の伸展部分。
３  足の甲のズレ防止ベルト。
【図１】
2007215967.tif 000003
【図２】
2007215967.tif 000004
(57)【要約】【課題】  従来のゴルフクラブシャフトの硬さを、調節する為には、シャフト自体を、交換するか、又、外周に金属を巻き付ける方法であったが、それは、高価であったり、外観形状を損なう恐れがあった。【解決手段】  圧力調節弁を、シャフト内部に設け、内部圧力を調節することに依って、競技者の技量にあった硬さを選ぶことができ、どの硬さを選んでも重量変化のないゴルフクラブシャフトを提供できる。【選択図】図２
2007215964.tif 000002
【特許請求の範囲】
【請求項１】
中空ゴルフクラブシャフトに、圧力調節弁を設け、気体を注入し、その圧力に依って硬さ調節ができるゴルフクラブシャフト。
【発明の詳細な説明】
【技術分野】
【０００１】本発明は、硬さ調節が出来るゴルフクラブシャフトに関する。
【背景技術】
【０００２】  クラブのシャフトに、ステンレス薄板を接着して巻き付けたものがある。（例えば特許文献１参照。）
【特許文献１】  特開平８−３３６６
【発明の開示】
【発明が解決しようとする課題】
【０００３】  ゴルフクラブシャフトの形状を変更することなく硬さ調節する方法がなかった。
【課題を解決するための手段】
【０００４】  ゴルフクラブシャフト内部に圧力調節弁を設け、気体を圧入し、圧力調節に依って、硬さの調節をすることができる。
【発明の効果】
【０００５】  競技者の技量に合う硬さに調節ができる。
【発明を実施するための最良の形態】
【０００６】  硬さ調節する目的を、最少の部品点数で、実現した。
【実施例】
【０００７】  シャフトのグリップ部に圧力調節弁を取りつけ、ネック部にプラグを取り付けた。
【図面の簡単な説明】
【０００８】
【図１】  ゴルフクラブシャフト全体図
【図２】  図１におけるＡ−Ａ線断面図
【符号の説明】
【０００９】  １  圧力調節弁
２  プラグ
【図１】
2007215964.tif 000003
【図２】
2007215964.tif 000004